(57)【要約】【課題】  収集した建築廃棄物が工事現場などに散乱したりすることがなく、しかも効率的なリサイクル処理を行うことができる建築廃棄物のリサイクリル処理方法を提供する。【解決手段】 (1)建築廃棄物から選別された合成樹脂シート状廃材を用いて、建築廃棄物を収集する収集籠を作製する第一工程、(2) 合成樹脂シート状廃材を除いた建築廃棄物を、第一工程で得た収集籠に収集する第二工程、(3) 第二工程で得た収集籠に収集した建築廃棄物を破砕機にかけ、破砕物を得る第三工程、の各工程からなるものとしている。【選択図面】    なし【特許請求の範囲】
【請求項１】
次の各工程からなることを特徴とする建築廃棄物のリサイクル処理方法。
(1) 建築廃棄物から選別された合成樹脂シート状廃材を用いて、建築廃棄物を収集する収集籠を作製する第一工程。
(2) 合成樹脂シート状廃材を除いた建築廃棄物を、第一工程で得た収集籠に収集する第二工程。
(3) 第二工程で得た収集籠に収集した建築廃棄物を破砕機にかけ、破砕物を得る第三工程。
【請求項２】
次の各工程からなることを特徴とする建築廃棄物のリサイクル処理方法。
(1) 建築廃棄物から選別された合成樹脂シート状廃材を用いて、建築廃棄物を収集する収集籠を作製する第一工程。
(2) 合成樹脂シート状廃材を除いた建築廃棄物を、第一工程で得た収集籠に収集する第二工程。
(3) 第二工程で得た収集籠に収集した建築廃棄物を破砕機にかけ、破砕物を得る第三工程。
(4) 第三工程で得た破砕物をペレット造粒機にかけ、ペレットを得る第四工程。
【請求項３】
次の各工程からなることを特徴とする建築廃棄物のリサイクル処理方法。
(1) 建築廃棄物から選別された合成樹脂シート状廃材を用いて、建築廃棄物を収集する収集籠を作製する第一工程。
(2) 合成樹脂シート状廃材を除いた建築廃棄物を、第一工程で得た収集籠に収集する第二工程。
(3) 第二工程で得た収集籠に収集した建築廃棄物を破砕機にかけ、破砕物を得る第三工程。
(4) 第三工程で得た破砕物をペレット造粒機にかけ、ペレットを得る第四工程。
(5) 第四工程で得たペレットを熱可塑性樹脂混合溶融機にかけ、混合溶融物を得る第五工程。
(6) 第五工程で得た混合溶融物を成形機にかけ、成形品を得る第六工程。
【請求項４】
次の各工程からなることを特徴とする建築廃棄物のリサイクル処理方法。
(1) 建築廃棄物から選別された合成樹脂シート状廃材を用いて、建築廃棄物を収集する収集籠を作製する第一工程。
(2) 合成樹脂シート状廃材を除いた建築廃棄物を、第一工程で得た収集籠に収集する第二工程。
(3) 第二工程で得た収集籠に収集した建築廃棄物を破砕機にかけ、破砕物を得る第三工程。
(4) 第三工程で得たペレットを熱可塑性樹脂混合溶融機にかけ、混合溶融物を得る第四工程。
(5) 第四工程で得た混合溶融物を成形機にかけ、成形品を得る第五工程。
【発明の詳細な説明】
【技術分野】
【０００１】
この発明は、ビルの新築工事現場、改修、解体工事現場などから発生する建築廃棄物のリサイクル処理方法に関するものである。
【背景技術】
【０００２】
従来、ビルの工事現場などから発生する無機質系建築材料廃材、例えばケイ酸カルシウム板、スレート、パーライト板、スラグ石膏板、窯業系サイディングなどの建築施工時に切断加工などにより破材となった廃材、並びに建築材料としての役割を果たし終えた廃材を原料としリサイクル建築材料として再使用する方法が存在する。
【０００３】
この建築廃材のリサイクル処理方法は、所定形状の型枠の底部に、予め原料混合物と接する面に接着剤を塗布してある面材を設置し、この型枠の面材上に、無機質系建築材料廃材粉砕物及び結合剤よりなる原料配合物に水を添加して半乾燥状態とした原料混合物を投入し、次に、この原料混合物上に、予め原料混合物と接する面に接着剤を塗布してある面材を設置し、所定の成形圧力にて加圧成形し、脱型、養生硬化、乾燥することを特徴とするものとしている（特許文献１）。
【特許文献１】特開平９−５２７５１号公報（第２頁）
【発明の開示】
【発明が解決しようとする課題】
【０００４】
しかしながら、従来のリサイクル処理方法では、ビルの工事現場などから発生した無機質系建築材料廃材以外の他の廃材は処理することができず、処理することができなかった他の廃材は別処理しなければならず、効率的なリサイクル処理を行うことができないという問題点を有していた。
【０００５】
さらに、従来のリサイクル処理方法では、工事現場から発生した建築廃棄物を収集して保管しておくためのケースなどが必要であり、そのような物が無い場合には収集した建築廃棄物が、建築作業者などの邪魔になったり、目につくので、作業環境が悪くなったり、見た目が良くないという問題点があり、また収集した建築廃棄物が、強風に煽られたり、犬猫やカラスなどの小動物の悪戯で工事現場などに散乱したりすることがあるという問題点を有していた。
【０００６】
そこで、この発明は、上記従来の問題点を解決することをその課題としており、収集した建築廃棄物が工事現場などに散乱したりすることがなく、しかも効率的なリサイクル処理を行うことができる建築廃棄物のリサイクリル処理方法を提供することを目的としてなされたものである。
【課題を解決するための手段】
【０００７】
そのため、この発明の建築廃棄物のリサイクル処理方法は、次の各工程からなるものとしている。
(1) 建築廃棄物から選別された合成樹脂シート状廃材を用いて、建築廃棄物を収集する収集籠を作製する第一工程。
(2) 合成樹脂シート状廃材を除いた建築廃棄物を、第一工程で得た収集籠に収集する第二工程。
(3) 第二工程で得た収集籠に収集した建築廃棄物を破砕機にかけ、破砕物を得る第三工程。
【０００８】
さらに、この発明の建築廃棄物のリサイクル処理方法は、次の各工程からなるものとしている。
(1) 建築廃棄物から選別された合成樹脂シート状廃材を用いて、建築廃棄物を収集する収集籠を作製する第一工程。
(2) 合成樹脂シート状廃材を除いた建築廃棄物を、第一工程で得た収集籠に収集する第二工程。
(3) 第二工程で得た収集籠に収集した建築廃棄物を破砕機にかけ、破砕物を得る第三工程。
(4) 第三工程で得た破砕物をペレット造粒機にかけ、ペレットを得る第四工程。
【０００９】
また、この発明の建築廃棄物のリサイクル処理方法は、次の各工程からなるものとしている。
(1) 建築廃棄物から選別された合成樹脂シート状廃材を用いて、建築廃棄物を収集する収集籠を作製する第一工程。
(2) 合成樹脂シート状廃材を除いた建築廃棄物を、第一工程で得た収集籠に収集する第二工程。
(3) 第二工程で得た収集籠に収集した建築廃棄物を破砕機にかけ、破砕物を得る第三工程。
(4) 第三工程で得た破砕物をペレット造粒機にかけ、ペレットを得る第四工程。
(5) 第四工程で得たペレットを熱可塑性樹脂混合溶融機にかけ、混合溶融物を得る第五工程。
(6) 第五工程で得た混合溶融物を成形機にかけ、成形品を得る第六工程。
【００１０】
さらにまた、この発明の建築廃棄物のリサイクル処理方法は、次の各工程からなるものとしている。
(1) 建築廃棄物から選別された合成樹脂シート状廃材を用いて、建築廃棄物を収集する収集籠を作製する第一工程。
(2) 合成樹脂シート状廃材を除いた建築廃棄物を、第一工程で得た収集籠に収集する第二工程。
(3) 第二工程で得た収集籠に収集した建築廃棄物を破砕機にかけ、破砕物を得る第三工程。
(4) 第三工程で得た破砕物を熱可塑性樹脂混合溶融機にかけ、混合溶融物を得る第四工程。
(5) 第四工程で得た混合溶融物を成形機にかけ、成形品を得る第五工程。
【発明の効果】
【００１１】
この発明の建築廃棄物のリサイクリル処理方法は、以上に述べたように構成されているので、収集した建築廃棄物が工事現場などに散乱したりすることがなく、しかも効率的なリサイクル処理を行うことができるものとなった。
【発明を実施するための最良の形態】
【００１２】
以下、この発明の建築廃棄物のリサイクリル処理方法を実施するための最良の形態を、図面に基づいて詳細に説明する。
【００１３】
この発明の建築廃棄物のリサイクル処理方法は、次の第一〜第三の各工程からなるものとしている。
【００１４】
先ず、第一工程としては、建築廃棄物から選別された合成樹脂シート状廃材を用いて、建築廃棄物を収集する収集籠を作製する。
【００１５】
この第一工程は、ビルの工事現場などから発生する防炎メッシュシート、防音シート、落下防止シートなどの合成樹脂シート状廃材１を用い、この合成樹脂シート状廃材１を、合成樹脂製の長尺材で一辺が約０．５〜１．０ｍの略立方体形状に形成した枠組２に張着し、例えば図１に示したような、上面に開閉自在とした収容口３を設けた収集籠Ｂを作製するようにしている。この場合、合成樹脂シート状廃材１は、その廃材に付属している金属部分をすべて取り除いたものを用いるようにしている。なお、前記枠組２は、略立方体形状に限らず、略直方体形状、略円柱形状、略角錐形状、略円錐形状などに形成することもできる。また、収集籠Ｂは折り畳み自在なものとしたり、枠組２がないものとして構成すれば、運搬、保管などに便利なものとなる。
【００１６】
第二工程としては、合成樹脂シート状廃材を除いた建築廃棄物を、第一工程で得た収集籠に収集する。
【００１７】
この第二工程は、ビルの工事現場などから発生する合成樹脂シート状廃材１を除いた建築廃棄物４、例えばカーペット材、壁紙、樹脂建材、ペットボトルなどを、図２に示したように、第一工程で得た収集籠Ｂにそのまま収集するようにしている。
【００１８】
第三工程としては、第二工程で得た収集籠に収集した建築廃棄物を破砕機にかけ、破砕物を得る。
【００１９】
この第三工程は、第二工程で得た収集籠Ｂに収集した建築廃棄物４を、その収集籠Ｂごと、または収集籠Ｂから出して図３に示したような、軟質、硬質合成樹脂、布、紙類などの異種材料を剪断破砕することができる市販の破砕機Ｃにかけ、例えば約２〜４ｃｍ角の破砕物Ｃａを得るようにしている。なお、収集した建築廃棄物４を収集籠Ｂから出した場合には、その収集籠Ｂは建築廃棄物４を収集するのに再使用される。
【００２０】
したがって、この発明の建築廃棄物のリサイクリル処理方法は、第三工程で得た破砕物Ｃａを、後に述べるように、ペレット造粒機にかけることによりペレットを得ることができ、このペレットを各種の合成樹脂成形品の原料とすることができる。
【００２１】
さらに、この発明の建築廃棄物のリサイクル処理方法は、前記第一〜第三工程と、次の第四工程からなるものとすることができる。
【００２２】
第四工程としては、第三工程で得た破砕物をペレット造粒機にかけ、ペレットを得る。
【００２３】
この第四工程は、第三工程で得た約２〜４ｃｍ角の破砕物Ｃａを、図４に示したような、軟質、硬質合成樹脂、布、紙類などの異種材料を、外部加熱なしで溶融成形することができる市販のペレット造粒機Ｐにかけ、例えば直径が約１ｃｍで高さが約２〜４ｃｍの略円柱形状のペレットＰａを得るようにしている。
【００２４】
したがって、この発明の建築廃棄物のリサイクリル処理方法は、第四工程で得たペレットを各種の合成樹脂成形品や肥料などの増量材として用いたり、このペレットを後に述べるように、そのまま市販のプレス成形機にかけことにより、ボックス、パレットなどの各種の成形品を得るようにすることができる。
【００２５】
また、この発明の建築廃棄物のリサイクル処理方法は、前記第一〜第四工程と、次の第五、第六工程からなるものとすることができる。
【００２６】
第五工程としては、第四工程で得たペレットを熱可塑性樹脂混合溶融機にかけ、混合溶融物を得る。
【００２７】
この第五工程は、第四工程で得た略円柱形状のペレットＰａを、図５に示したような外部加熱なしで混合溶融することができる市販の熱可塑性樹脂混合溶融機Ｍにかけ、混合溶融物Ｍａを得るようにしている。
【００２８】
第六工程としては、第五工程で得た混合溶融物を成形機にかけ、成形品を得る。
【００２９】
この第六工程は、第五工程で得た混合溶融物Ｍａを、図６に示したような、金型を交換することにより様々な製品を成形することができる市販のプレス成形機Ｆにかけ、ボックス、パレットなどの各種の成形品Ｆａを得るようにしている。なお、成形機としては、前記プレス成形機に限らず、押出し成形機や射出成形機などを用いてもよい。
【００３０】
さらにまた、この発明の建築廃棄物のリサイクル処理方法は、前記第四工程を省略することができ、前記第一〜第三工程と、前記第五、第六工程からなるものとすることができる。この場合、前記第五工程は、この処理方法においては第四工程となり、前記第六工程は、この処理方法においては第五工程となる。
【００３１】
したがって、この発明の建築廃棄物のリサイクリル処理方法は、工事現場などで発生した建築廃棄物が収集籠に効率良く回収され、この回収された建築廃棄物が一連の処理システムで効率良く処理されることになる。
【図面の簡単な説明】
【００３２】
【図１】この発明の建築廃棄物のリサイクリル処理方法の第一工程を示す説明図である。
【図２】この発明の建築廃棄物のリサイクリル処理方法の第二工程を示す説明図である。
【図３】この発明の建築廃棄物のリサイクリル処理方法の第三工程を示す説明図である。
【図４】この発明の建築廃棄物のリサイクリル処理方法の第四工程を示す説明図である。
【図５】この発明の建築廃棄物のリサイクリル処理方法の第五工程を示す説明図である。
【図６】この発明の建築廃棄物のリサイクリル処理方法の第六工程を示す説明図である。
【符号の説明】
【００３３】
１  合成樹脂シート状廃材
４  建築廃棄物
Ｂ  収集籠
Ｃ  破砕機
Ｃａ  破砕物
Ｐ  ペレット造粒機
Ｐａ  ペレット
Ｍ  熱可塑性樹脂混合溶融機
Ｍａ  混合溶融物
Ｆ  プレス成形機
Ｆａ  成形品
【図１】
2005118636.tif 000002
【図２】
2005118636.tif 000003
【図３】
2005118636.tif 000004
【図４】
2005118636.tif 000005
【図５】
2005118636.tif 000006
【図６】
2005118636.tif 000007